(57)【要約】【課題】従来はシーブにより落下物から穀粒を選別する構成のため、緑豆等の選別精度の向上と脱穀ロス低減との両立が難しいという課題がある。【解決手段】選別室（１７）に、選別風を発生させる唐箕（１５）と、前後方向に往復揺動する揺動選別棚（２０）を備え、揺動選別棚（２０）には、脱穀室（１１）から落下した被処理物を受け止めて後方へ移送する移送棚部（２２）と、移送棚部（２２）の後方に配置され、複数の第１選別部材が前後間隔を空けて配置された第１選別部（Ｆ）と、第１選別部（Ｆ）の後方に配置され、複数の第２選別部材が左右間隔を空けて配置された第２選別部（２４）と、第１選別部（Ｆ）の上方に配置された選別網（３０）を有し、選別網（３０）の後端部が第２選別部（２４）の前後方向での中間部に位置することを特徴とする収穫機。【選択図】  図３
2020039275.tif 000002
【特許請求の範囲】
【請求項１】
農作物を脱穀する扱胴（１０）を有した脱穀室（１１）と、前記脱穀室（１１）の下方に配置される選別室（１７）を備えた脱穀機において、
前記選別室（１７）に、選別風を発生させる唐箕（１５）と、前後方向に往復揺動する揺動選別棚（２０）を備え、
前記揺動選別棚（２０）には、脱穀室（１１）から落下した被処理物を受け止めて後方へ移送する移送棚部（２２）と、前記移送棚部（２２）の後方に配置され、複数の第１選別部材が前後間隔を空けて配置された第１選別部（Ｆ）と、前記第１選別部（Ｆ）の後方に配置され、複数の第２選別部材が左右間隔を空けて配置された第２選別部（２４）と、前記第１選別部（Ｆ）の上方に配置された選別網（３０）を有し、
前記選別網（３０）の後端部が前記第２選別部（２４）の前後方向での中間部に位置することを特徴とする脱穀機。
【請求項２】
前記選別網（３０）における前後方向中間部の上方に篩線（３５）を備えた請求項１に記載の脱穀機。
【請求項３】
前記第１選別部（Ｆ）に、前側シーブ（２３Ａ）と、前記前側シーブ（２３Ａ）の後方に配置された後側シーブ（２３Ｂ）を備え、
前記後側シーブ（２３Ｂ）は、傾斜角度が調節可能な選別部材を有する請求項１または請求項２に記載の脱穀機。
【請求項４】
前記後側シーブ（２３Ｂ）が、前記前側シーブ（２３Ａ）よりも低い位置に配置されている請求項３に記載の脱穀機。
【発明の詳細な説明】
【技術分野】
【０００１】
本発明は、脱穀機に係るものである。
【背景技術】
【０００２】
従来、脱穀室の下方に揺動選別装置を設け、揺動選別棚には、脱穀室からの落下物から穀粒を選別するシーブを設けた構成は、公知である（特許文献１参照）。
【先行技術文献】
【特許文献】
【０００３】
【特許文献１】特開２０１６−５９３６６号公報
【発明の概要】
【発明が解決しようとする課題】
【０００４】
前記公知例は、シーブにより落下物から穀粒を選別する構成のため、選別精度を高めるために、シーブ間隔を小さくすると、ロス・詰まりが発生しやすく、シーブ間隔を大きくすると、選別精度が低下するという課題がある。
【０００５】
本願は、揺動選別棚の構成を工夫し、緑豆の選別精度の向上と脱穀ロス低減との両立を図ったものである。
【課題を解決するための手段】
【０００６】
請求項１記載の発明は、農作物を脱穀する扱胴（１０）を有した脱穀室（１１）と、前記脱穀室（１１）の下方に配置される選別室（１７）を備えた脱穀機において、前記選別室（１７）に、選別風を発生させる唐箕（１５）と、前後方向に往復揺動する揺動選別棚（２０）を備え、前記揺動選別棚（２０）には、脱穀室（１１）から落下した被処理物を受け止めて後方へ移送する移送棚部（２２）と、前記移送棚部（２２）の後方に配置され、複数の第１選別部材が前後間隔を空けて配置された第１選別部（Ｆ）と、前記第１選別部（Ｆ）の後方に配置され、複数の第２選別部材が左右間隔を空けて配置された第２選別部（２４）と、前記第１選別部（Ｆ）の上方に配置された選別網（３０）を有し、前記選別網（３０）の後端部が前記第２選別部（２４）の前後方向での中間部に位置することを特徴とする脱穀機である。
【０００７】
請求項２記載の発明は、前記選別網（３０）における前後方向中間部の上方に篩線（３５）を備えた請求項１に記載の脱穀機である。
【０００８】
請求項３記載の発明は、前記第１選別部（Ｆ）に、前側シーブ（２３Ａ）と、前記前側シーブ（２３Ａ）の後方に配置された後側シーブ（２３Ｂ）を備え、前記後側シーブ（２３Ｂ）は、傾斜角度が調節可能な選別部材を有する請求項１または請求項２に記載の脱穀機である。
【０００９】
請求項４記載の発明は、前記後側シーブ（２３Ｂ）が、前記前側シーブ（２３Ａ）よりも低い位置に配置されている請求項３に記載の脱穀機である。
【発明の効果】
【００１０】
請求項１に記載の発明では、第１選別部（Ｆ）の上方に配置された選別網（３０）の後端部が第２選別部（２４）の前後方向での中間部に位置するので、夾雑物の第１選別部（Ｆ）上への落下を抑制すると共に、第２選別部（２４）の後部で回収対象物を回収でき、回収対象物が機外へ排出されることによるロスを防止できる。
【００１１】
請求項２に記載の発明では、請求項１に記載の発明による効果に加え、第２選別部（２４）の後部に選別網（３０）が存在しない開放部分（Ｈ）が形成されているので、第２選別部（２４）の後部で回収対象物を回収でき、回収対象物が機外へ排出されることによるロスを防止できる。
【００１２】
請求項３に記載の発明では、請求項１に記載の発明による効果に加え、選別網（３０）における前後方向中間部の上方に篩線（３５）を備えているので、選別網（３０）上に落下する夾雑物を篩線（３５）が受け止めることで選別網（３０）やその下方の第１選別部（Ｆ）による選別効率を向上させると共に、選別ロスを抑制することができる。
【００１３】
請求項４に記載の発明では、請求項１から請求項３のいずれか一項に記載の発明による効果に加え、後側シーブ（２３Ｂ）は、水平面に対する傾斜角度が調節可能な選別部材を有するので、後側シーブ２３Ｂの選別部材の傾斜角度を変更することにより選別風の風向を変更して、ロスを低減させることができる。
【００１４】
請求項５に記載の発明では、請求項４に記載の発明による効果に加え、後側シーブ（２３Ｂ）が、前側シーブ（２３Ａ）よりも低い位置に配置されているので、後側シーブ（２３Ｂ）によって吹き上げられた選別風により選別精度と効率を向上させることができる。
【図面の簡単な説明】
【００１５】
【図１】収穫機の側面図。
【図２】脱穀装置（脱穀機）の縦断側面図。
【図３】揺動選別棚の縦断側面図。
【図４】同平面図。
【図５】同他の実施形態の側面図。
【図６】同平面図。
【図７】同他の実施形態の一部側面図。
【発明を実施するための形態】
【００１６】
本発明の一実施形態を図面により説明すると、収穫機（コンバイン）は、機体フレーム１、走行装置２、機体フレーム１の上方に設けた脱穀装置（脱穀機）３、脱穀装置３の前側に設けた刈取装置４、脱穀装置３の側部に設けたグレンタンク５、グレンタンク５の前方に設けた操縦部６等を備えている（図１）。
【００１７】
本願の収穫機は、米麦の穀粒・蕎麦の穀粒・大豆や緑豆あるいは莢豌豆（サヤエンドウ）等の豆類の他に圃場に植立された胡麻・菜種・ひまわり等の作物（油糧穀類）の種子の収穫に使用するものであり、便宜的に、広義の穀粒にこれらの種子を含めて説明するが、このことにより、本発明の構成が限定されるものではない。また、理解を容易にするため、便宜的に方向を示して説明しているが、これらにより構成が限定されるものではない。
【００１８】
刈取装置４は、オーガー７を軸装したオーガーフレーム８に、掻込リール８Ａと、刈刃８Ｂとを設けて構成し、オーガーフレーム８には搬送エレベーター９の先端を取付け、搬送エレベーター９の基部は脱穀装置３の脱穀室に接続する。
【００１９】
前記脱穀装置３は、図２に示したように、上部に扱胴１０を略水平に軸装した脱穀室１１を設け、扱胴１０の主として下方側は扱網１２により包囲し、扱網１２の下方には唐箕１５の唐箕ケーシング１６を設ける。前記脱穀室１１の下方には前記唐箕１５の送風により穀粒（豆類・胡麻・菜種の種子・これらの莢を含む）と異物とを風選し得る選別室１７を形成し、選別室１７内には唐箕１５の送風方向（前後方向）に往復揺動する揺動選別棚２０を設ける。
【００２０】
揺動選別棚２０には、その始端部（前端部）を唐箕１５の上方に位置させて移送棚部２２を形成する。移送棚部２２の移送方向下手側にはシーブ（「第１選別部」とも言う）Ｆを設ける。シーブＦには、複数のフィン（「第１選別部材」とも言う）３２を備えている。
【００２１】
選別室１７には、シーブＦの下手側に設けたストローラック（「第２選別部」とも言う）２４、揺動選別棚２０の下方所定位置に設けた一番コンベア２５、一番コンベア２５の後側に設けた二番コンベア２６、二番還元装置２７を備え、二番物を脱穀室１１に還元させて再脱粒処理を行う。ストローラック２４には、複数のラック板（「第２選別部材」とも言う）を備えている。
【００２２】
前記シーブＦの上方には粗選網（「選別網」ともいう）３０を設ける。粗選網３０は緑豆の茎稈・枝（米麦では穀稈となる部分）がシーブＦ上に落下しないように粗選別するものである。
【００２３】
粗選網３０の構成は任意であるが、好ましくは、穀粒およびその莢が落下するが、これらの茎稈・葉等の夾雑物は落下しない目合とするとよい。また、粗選網３０は、クリンプ網や平網、あるいは、パンチング板により構成してもよい。
【００２４】
そのため、収穫（回収）する種子および莢以外となる夾雑物の落下を抑制し、緑豆の種子および莢の落下を促進して選別処理効率を向上させている。
【００２５】
本実施形態では、粗選網３０の前端は移送棚部２２の後端に位置し、粗選網３０の後端はストローラック２４の前端上方に位置させている（図２）。
【００２６】
そのため、粗選網３０は、シーブＦの前後方向の上方全面を、側面視において覆うことになり、夾雑物のシーブＦ上への落下を抑制すると共に、ストローラック２４の上方を開放するので、割れていない莢（未脱粒）を二番コンベア２６に回収し、二番還元装置２７により脱穀室１１に還元させて再脱粒処理を行う。
【００２７】
これにより、未脱粒の莢の機外への飛散排出の排出ロスを防止できる。
【００２８】
換言すると、シーブＦ上に設けた粗選網３０の後部はストローラック２４の一部後側部分にて開放構成とし、この開放部分Ｋの下方にストローラック２４を設け、ストローラック２４の下方に二番受樋３１を設ける。
【００２９】
そのため、ストローラック２４の始端部では上方の粗選網３０により夾雑物の落下を防止し、ストローラック２４の終端側では開放部分Ｋにより未脱粒の莢を含む被処理物を落下させて、ストローラック２４により被処理物と夾雑物とを選別処理して、二番受樋３１への夾雑物の落下を抑制して、二番物回収効率および二番物再処理効率を向上させることができる。
【００３０】
前記シーブＳは、前側シーブ２３Ａと後側シーブ２３Ｂと前後に並設し、少なくとも、後側シーブ２３Ｂをフィン（「第１選別部材」とも言う）３２の傾斜角度調節自在に構成する（図３）。
【００３１】
そのため、前側シーブ２３Ａのフィン３２の所定の傾斜角度により、選別風を前側シーブ２３Ａ間で吹き上がるようにし、穀粒と夾雑物の選別分離作用を揺動選別棚２０の前半部分で行え、一番コンベア２５への落下が早まり、ロス低減となる。
【００３２】
また、被処理物の量等の条件により後側シーブ２３Ｂの傾斜角度を変更することで、選別風を後側シーブ２３Ｂのフィン３２の間の風量を調節でき、選別負荷に対応した選別処理が可能となる。
【００３３】
揺動選別棚２０の前後中間部分の粗選網３０の上方には篩線３５を設ける。
【００３４】
そのため、粗選網３０上に落下する夾雑物を篩線３５が受け止め、篩線３５による選別処理効果を促進させ、全体の選別を向上させると共に、選別ロスを抑制する。
【００３５】
また、後側シーブ２３Ｂの各フィン３２は前側シーブ２３Ａのフィン３２より低く位置させる。
【００３６】
そのため、前方から流れる選別風を後側シーブ２３Ｂによって吹き上げる、吹き上げ効果が期待でき、選別精度・効率を向上させることができる。
【００３７】
また、後側シーブ２３Ｂの始端部上方に篩線３５を設けると、選別風が篩線３５を下から吹き抜けて、一層選別効果を向上させることができる。
【００３８】
また、篩線３５は一番コンベア２５の略上方に位置させる。
【００３９】
そのため、篩線３５にて選別処理された穀粒が一番コンベア２５に入るのを促進させることができ、回収効率を向上させることができる。
【００４０】
篩線３５は、粗選網３０の上方から粗選網３０ごと揺動選別棚２０の本体３６側に取付ける。
【００４１】
そのため、篩線３５は粗選網３０上に落下する前の夾雑物を受け止めるだけでなく、粗選網３０の固定部材としても兼用する。
【００４２】
また、図７のように、揺動選別棚２０の前後方向の後方の粗選網３０の上方に後側篩線３５を設けてもよい。
【００４３】
そのため、分離した夾雑物を粗選網３０上に落下させず、直接機外に排出させやすい。
【００４４】
また、後側篩線３５で分離した穀粒は下方のストローラック（終端シーブ２３Ｃ）２４から落下させて、二番受樋３１にて受け止めて二番コンベア２６に回収処理する。
【００４５】
そのため、選別ロスを低減させることができる。
【００４６】
揺動選別棚２０の後方の粗選網３０の上方に設けた後側篩線３５は後上がりに傾斜させる。
【００４７】
そのため、分離した夾雑物を粗選網３０上に落下させず、直接機外に排出させやすい。
【００４８】
また、後側篩線３５で分離した穀粒は下方のストローラック（終端シーブ２３Ｃ）２４から落下させて、二番受樋３１にて受け止めて二番コンベア２６に回収処理する。
【００４９】
そのため、選別ロスを低減させることができる。
【００５０】
また、図示は省略するが、揺動選別棚２０に設けた粗選網３０の上方所定位置に、粗選網３０を固定するバーを設け、バーの終端を上方へ曲げる構成としてもよい。
【００５１】
篩線３５よりもバーの方が安価であり、篩線３５と同様な作用効果が期待できる。
【００５２】
終端を上方へ曲げたバーを、揺動選別棚２０に設けた粗選網３０の上方であって、前方部と中央部の二カ所に設ける。
【００５３】
そのため、二段構えのバーがジャンプ台のように夾雑物の跳上げに作用し、被処理物の粒と夾雑物の選別分離を向上させることができる。
【００５４】
揺動選別棚２０の前後中間部分より前側に側面視波板形状の波板部材（移送棚２２）を設ける。
【００５５】
波板部材（移送棚２２）の波部分（ラック）のピッチは前半を狭く、後半を広くすると、移送効率を向上させることができる。
【００５６】
また、図示は省略するが、揺動選別棚２０の最後部には堰き止めプレートを設けてもよい。堰き止めプレートは上下調節可能に構成する。堰き止めプレートは粗選網３０の終端を固定する固定部材としても兼用する。
【００５７】
堰き止めプレートにより被処理物の搬送をブロックすることにより、二番還元量を増加させて、ロスを低減させる。
【００５８】
図７は、他の実施形態を示し、揺動選別棚２０の終端部には、ストローラック２４に変えて終端シーブ２３Ｃを設け、終端シーブ２３Ｃの始端部とシーブＦの終端部との間に風向を調節するガイド板４５を設ける。
【００５９】
そのため、ガイド板４５付近の選別風の吹き上がり程度を調節でき、粒が機外に排出されるのを防止し、二番コンベア２６の回収率を向上させることができる。
【００６０】
セカンドファン４９は、終端シーブ２３Ｃへ向けて送風し、終端シーブ２３Ｃにおける選別効率を向上させることができる。
【００６１】
ガイド板４５は上下中間部を軸４７により揺動選別棚２０に回動自在に取付け、ガイド板４５の上側部分をシーブＦのフィン３２の傾斜角度調節する連結プレート４６にピン４８により回動自在に取付ける。
【００６２】
そのため、ガイド板４５はシーブＦのフィン３２と連動して傾斜角度調節される。
【００６３】
したがって、シーブＦのフィン３２が「閉」のとき、選別風が上向きになるようにガイド板４５は起立する。
【００６４】
また、シーブＦによる層厚制御に合わせ、流量が減少したときに、シーブＦのフィン３２が「閉」となり、選別風が上向きになるようにガイド板４５は起立するように構成することもできる。
【００６５】
前記ガイド板４５は一番コンベア２５の後側一番棚先５０の後端部上方に位置させる。
【００６６】
そのため、シーブＦにて分離した粒を一番コンベア２５に誘導でき、回収効率を向上させることができる。
【００６７】
ガイド板４５は、側面視において、シーブＦのフィン３２の上端高さ位置と略同じであって、終端シーブ２３Ｃのフィン３２の下端高さ位置と略同じとなる上下幅を有して構成する。
【００６８】
そのため、選別風を終端シーブ２３Ｃのフィン３２の下端よりシーブＦのフィン３２の上端上方へ向けて案内し、選別効率を向上させることができる。
【００６９】
前記終端シーブ２３Ｃの始端部のフィン３２はシーブＦの終端部のフィン３２より低い位置に設ける。
【００７０】
そのため、シーブＦの下方を流れる選別風を終端シーブ２３Ｃのフィン３２が上向きに案内し、選別性能を向上させることができる。
【００７１】
（実施形態の作用）
本発明は上記構成であり、刈り取られた茎稈（穀稈）は、脱穀室１１で回転する扱胴１０により脱穀され、脱穀された被処理物は、扱網１２から漏下して揺動選別棚２０の始端部の移送棚部２２に落下し、移送棚部２２からシーブＦ上に移送され、唐箕１５からの送風と、選別室１７内で往復揺動する揺動選別棚２０のシーブＦとにより選別される。
【００７２】
揺動選別棚２０のシーブＦの上方には、緑豆の茎稈・枝等の夾雑物がシーブＦ上に落下しないように粗選別する粗選網３０を設けているので、茎稈・枝等の夾雑物は粗選網３０に受け止められ、粗選網３０（揺動選別棚２０）の揺動により後方に移動し、緑豆の莢は左右に並設した粗選網３０の間からシーブＦ上に落下し、さらに、シーブＦのフィン３２の間から落下し、一番コンベア２５により回収される。
【００７３】
したがって、粗選網３０によりシーブＦ上に夾雑物の落下を抑制するので、選別処理効率を向上させている。
【００７４】
粗選網３０の前端は移送棚部２２の後端に位置し、粗選網３０の後端はストローラック２４の前端上方に位置させているので、粗選網３０は、前後方向において、シーブＦの上方全面を、側面視覆うことになり、夾雑物のシーブＦ上への落下を抑制する。
【００７５】
前記シーブＦの上方には粗選網３０を設けているので、収穫（回収）する種子および莢以外となる夾雑物の落下を抑制し、緑豆の種子および莢の落下を促進して選別処理効率を向上させている。
【００７６】
本実施形態では、粗選網３０の前端は移送棚部２２の後端に位置し、粗選網３０の後端はストローラック２４の前端上方に位置させているので、粗選網３０は、シーブＦの前後方向の上方全面を、側面視において覆うことになり、夾雑物のシーブＦ上への落下を抑制すると共に、ストローラック２４の上方を開放するので、割れていない莢（未脱粒）を二番コンベア２６に回収し、二番還元装置２７により脱穀室１１に還元させて再脱粒処理を行う。
【００７７】
これにより、未脱粒の莢の機外への飛散排出の排出ロスを防止できる。
【００７８】
換言すると、シーブＦ上に設けた粗選網３０の後部はストローラック２４の一部後側部分にて開放構成とし、この開放部分Ｋの下方にストローラック（終端シーブ２３Ｃ）２４を設け、ストローラック２４の下方に二番受樋二番受樋３１を設けているので、ストローラック２４の始端部では上方の粗選網３０により夾雑物の落下を防止し、ストローラック２４の終端側では開放部分Ｋにより未脱粒の莢を含む被処理物を落下させて、ストローラック２４により被処理物と夾雑物とを選別処理して、二番受樋３１への夾雑物の落下を抑制して、二番物回収効率および二番物再処理効率を向上させることができる。
【００７９】
シーブＳは、前側シーブ２３Ａと後側シーブ２３Ｂと前後に並設し、少なくとも、後側シーブ２３Ｂをフィン３２の傾斜角度調節自在に構成しているので、前側シーブ２３Ａのフィン３２の所定の傾斜角度により、選別風を前側シーブ２３Ａ間で吹き上がるようにし、穀粒と夾雑物の選別分離作用を揺動選別棚２０の前半部分で行え、一番コンベア２５への落下が早まり、ロス低減となる。
【００８０】
また、被処理物の量等の条件により後側シーブ２３Ｂの傾斜角度を変更することで、選別風を後側シーブ２３Ｂのフィン３２の間の風量を調節でき、選別負荷に対応した選別処理が可能となる。
【００８１】
揺動選別棚２０の前後中間部分の粗選網３０の上方には篩線３５を設けているので、粗選網３０上に落下する夾雑物を篩線３５が受け止め、篩線３５による選別処理効果を促進させ、全体の選別を向上させると共に、選別ロスを抑制する。
【００８２】
後側シーブ２３Ｂの各フィン３２は前側シーブ２３Ａのフィン３２より低く位置させているので、前方から流れる選別風を後側シーブ２３Ｂによる吹き上げ効果が期待でき、選別精度・効率の向上させることができる。
【００８３】
また、後側シーブ２３Ｂの始端部上方に篩線３５を設けると、選別風が篩線３５を下から吹き抜けて、一層選別効果を向上させることができる。
【００８４】
また、篩線３５は一番コンベア２５の略上方に位置させているので、篩線３５にて選別処理された穀粒が一番コンベア２５に入るのを促進させることができ、回収効率を向上させることができる。
【００８５】
篩線３５は、粗選網３０の上方から粗選網３０ごと揺動選別棚２０の本体３６側に取付けているので、篩線３５は粗選網３０上に落下する前の夾雑物を受け止めるだけでなく、粗選網３０の固定部材としても兼用する。
【００８６】
揺動選別棚２０の前後方向の後方の粗選網３０の上方には篩線３５を設けているので、分離した夾雑物を粗選網３０上に落下させず、直接機外に排出させやすい。
【００８７】
また、篩線３５で分離した穀粒は下方のストローラック２４から落下させて、二番受樋３１にて受け止めて二番コンベア２６に回収処理するので、選別ロスを低減させることができる。
【００８８】
揺動選別棚２０の後方の粗選網３０の上方に設けた篩線３５は後上がりに傾斜させているので、分離した夾雑物を粗選網３０上に落下させず、直接機外に排出させやすい。
【００８９】
また、篩線３５で分離した穀粒は下方のストローラック２４から落下させて、二番受樋３１にて受け止めて二番コンベア２６に回収処理するので、選別ロスを低減させることができる。
【００９０】
揺動選別棚２０の終端部には、ストローラック２４に変えて終端シーブ２３Ｃを設け、終端シーブ２３Ｃの始端部とシーブＦの終端部との間に風向を調節するガイド板４５を設けているので、ガイド板４５付近の選別風の吹き上がり程度を調節でき、粒が機外に排出されるのを防止し、二番コンベア２６の回収率を向上させることができる。
【００９１】
ガイド板４５は上下中間部を揺動選別棚２０に回動自在に取付け、ガイド板４５の上下中間部をシーブＦのフィン３２の傾斜角度調節する連結プレート４６に回動自在に取付けているので、ガイド板４５はシーブＦのフィン３２と連動して傾斜角度調節され、シーブＦが閉のとき、選別風が上向きになるようにガイド板４５は起立する。
【００９２】
また、シーブＦによる層厚制御に合わせ、流量が減少したときに、選別風が上向きになるようにガイド板４５は起立するので、粒が機外に排出されるのを防止し、二番コンベア２６の回収率を向上させることができる。
【００９３】
ガイド板４５は一番コンベア２５の後側一番棚先５０の後端部上方に位置させているので、シーブＦにて分離した粒を一番コンベア２５に誘導でき、回収効率を向上させることができる。
【００９４】
ガイド板４５は、側面視において、シーブＦのフィン３２の上端高さ位置と略同じであって、終端シーブ２３Ｃのフィン３２の下端高さ位置と略同じとなる上下幅を有して構成しているので、選別風を終端シーブ２３Ｃのフィン３２の下端よりシーブＦのフィン３２の上端上方へ向けて案内し、選別効率を向上させることができる。
【００９５】
終端シーブ２３Ｃの始端部のフィン３２はシーブＦの終端部のフィン３２より低い位置に設けているので、シーブＦの下方を流れる選別風を終端シーブ２３Ｃのフィン３２が上向きに案内し、選別性能を向上させることができる。
【符号の説明】
【００９６】
４      刈取装置
９      搬送エレベーター
１０    扱胴
１１    脱穀室
１５    唐箕
１７    選別室
２０    揺動選別棚
２２    移送棚部
２３Ａ  前側シーブ
２３Ｂ  後側シーブ
２４    ストローラック
３０    粗選網
３５    篩線
Ｆ      シーブ
Ｋ      開放部分
【図１】
2020039275.tif 000003
【図２】
2020039275.tif 000004
【図３】
2020039275.tif 000005
【図４】
2020039275.tif 000006
【図５】
2020039275.tif 000007
【図６】
2020039275.tif 000008
【図７】
2020039275.tif 000009